(57)【要約】      （修正有）【課題】作業者が、荷物、資材等の吊り荷を安全に誘導できる介錯ロープを提供する。【解決手段】作業者が把持するロープ本体２と、ロープ本体の一端に取付けられ、吊り荷自体または吊上げているロープ・ワイヤーに掛け止めるフック３とを備え、ロープ本体は、フック側から、危険領域部６の赤色、注意領域部７の黄色、および安全領域部８が色分けされた表示域とされて、作業者による把持部分が何れにあるかで、作業者に対し注意を喚起させるよう構成され、且つフック側から所定距離だけ離間した位置に、作業者の視覚により注意を喚起させ得る表示片１２が、ロープ本体から突出するように設けられた。【選択図】図１
0003230889.tif 000002
【実用新案登録請求の範囲】
【請求項１】
荷物、資材等の吊り荷を誘導する介錯ロープであって、
作業者が把持するロープ本体と、該ロープ本体の一端に取付けられ、前記吊り荷自体または吊上げているロープ・ワイヤーに掛け止めるフックとを備え、
前記ロープ本体は、前記フック側から、危険領域部の赤色、注意領域部の黄色、および安全領域部が色分けされた表示域とされて、作業者による把持部分が何れにあるかで、作業者に対し注意を喚起させるよう構成され、且つ前記フック側から所定距離だけ離間した位置に、作業者の視覚により注意を喚起させ得る表示片が、前記ロープ本体から突出するように設けられたことを特徴とする介錯ロープ。
【請求項２】
前記表示片の表面に、前記ロープ本体の一端からの距離を表示する距離表示部が設けられた請求項１に記載の介錯ロープ。
【請求項３】
前記表示片の地の色と前記距離表示部の色とが、補色の関係にある請求項２に記載の介錯ロープ。
【請求項４】
前記表示片の地が緑色であり、該表示片が前記安全領域部の前記フック側の端部に設けられ、前記距離表示部の色が赤色である請求項３に記載の介錯ロープ。
【請求項５】
前記危険領域部、前記注意領域部の各々において該領域部の両端のうち少なくとも一方に、該領域部と同色に着色されたシュリンク体が巻かれた請求項１ないし請求項４に記載の介錯ロープ。
【請求項６】
前記安全領域部の、前記フックとは反対側の端部に、緑色に着色されたシュリンク体が巻かれた請求項５に記載の介錯ロープ。
【考案の詳細な説明】
【技術分野】
【０００１】
本考案は、荷物、資材等の吊り荷を誘導する介錯ロープに関する。
【背景技術】
【０００２】
この種の介錯ロープは、下記特許文献１に記載されている。これは、クレーンのような吊上げ機材により吊上げた吊り荷を、作業者が所望の位置まで誘導する３色介錯ロープである。
【０００３】
特許文献１の３色介錯ロープは、作業者が握ることができる程度の外径を有するロープと、ロープの一端に取り付けられたフックと、ロープにおいて、フック側から危険領域部、注意領域部、安全領域部を形成して注意喚起部とし、注意喚起部は、注意を作業者に喚起させるよう視覚的、形状的な変化を有している。
【０００４】
また、この３色介錯ロープは、危険領域部が「赤色」、注意領域部が「黄色」、安全領域部が「緑色」に配色されている。また、危険領域部が１．５ｍ、注意領域部が１．５ｍとされて、安全領域部が２ｍとされている。そして、作業者は、クレーンのフックで吊り荷を取付けた状態（玉掛けされた状態）で、３・３・３運動を実行して、安全領域部を把持するようにする。
【先行技術文献】
【特許文献】
【０００５】
【特許文献１】特開２０１８−２４５８号公報
【考案の概要】
【考案が解決しようとする課題】
【０００６】
上記特許文献１の３色介錯ロープでは、視覚的、形状的な変化を有する注意喚起部、といった記載がある。この注意喚起部における視覚的、形状的な変化を有するとは、具体的には、注意喚起部においては、「赤色」「黄色」「緑色」がロープに着色されたり、あるいはロープの太さを異ならせたりしている。
【０００７】
しかしながら、特許文献１の３色介錯ロープでは、作業者が直感的に注意を喚起させる目印が無いため、作業者が、荷物、資材等の吊り荷を安全に誘導する点で改良の余地がある。
【０００８】
そこで本考案は、作業者が、荷物、資材等の吊り荷を安全に誘導できる介錯ロープの提供を目的とする。
【課題を解決するための手段】
【０００９】
本考案は、荷物、資材等の吊り荷を誘導する介錯ロープであって、作業者が把持するロープ本体と、該ロープ本体の一端に取付けられ、前記吊り荷自体または吊上げているロープ・ワイヤーに掛け止めるフックとを備え、前記ロープ本体は、前記フック側から、危険領域部の赤色、注意領域部の黄色、および安全領域部が色分けされた表示域とされて、作業者による把持部分が何れにあるかで、作業者に対し注意を喚起させるよう構成され、且つ前記フック側から所定距離だけ離間した位置に、作業者の視覚により注意を喚起させ得る表示片が、前記ロープ本体から突出するように設けられたことを特徴としている。
【００１０】
本考案のように、フック側から、危険領域部の赤色、注意領域部の黄色、および安全領域部が色分けされた表示域とされ、しかも、フック側から所定距離だけ離間した位置に、作業者の視覚により、直感的に注意を喚起させ得る表示片が設けられているので、表示域と表示片により、フックに掛け止められた吊り荷を介錯ロープで誘導する際に、作業者が吊り荷を安全に誘導できる。
【００１１】
本考案は、前記表示片の表面に、前記ロープ本体の一端からの距離を表示する距離表示部が設けられた構成を採用できる。
【００１２】
本考案のように、表示片の表面にロープ本体の距離表示部が設けられているので、フックに掛け止められた吊り荷をロープ本体で誘導する際に、作業者にとって、離間距離の把持が明確になる。
【００１３】
本考案は、前記表示片の地の色と前記距離表示部の色とが、補色の関係にある構成を採用できる。
【００１４】
本考案のように、表示片の地の色と距離表示部の色とが補色の関係にあれば、距離表示を明確にすることができる。
【００１５】
本考案は、前記表示片の地が緑色であり、該表示片が前記安全領域部の前記フック側の端部に設けられ、前記距離表示部の色が赤色である構成を採用できる。
【００１６】
本考案のように、表示片が緑色であり、距離表示部の色が赤色であると、両者が補色関係にあり、距離表示部が際立って映り、互いが目立つから、作業者に明確になる。
【００１７】
本考案は、前記危険領域部、前記注意領域部の各々において該領域部の両端のうち少なくとも一方に、該領域部と同色に着色されたシュリンク体が巻かれた構成を採用できる。
【００１８】
本考案のように、シュリンク体が巻かれていると、ロープ本体が色褪せても、シュリンク体自体の色褪せが少ないことが期待されるため、経年によっても危険領域部、注意領域部および安全領域部が明確になる。
【００１９】
本考案は、前記安全領域部の、前記フックとは反対側の端部に、緑色に着色されたシュリンク体が巻かれた構成を採用できる。
【００２０】
本考案のように、安全領域部の、フックとは反対側の端部に、緑色に着色されたシュリンク体が巻かれていると、ロープ本体が色褪せても、シュリンク体自体の色褪せが少ないことが期待されるため、経年によっても、安全領域部が明確になる。
【考案の効果】
【００２１】
本考案にかかる介錯ロープによれば、表示域と表示片により、フックに掛け止められた吊り荷を介錯ロープで誘導する際に、作業者が吊り荷を安全に誘導できる。
【図面の簡単な説明】
【００２２】
【図１】本考案の一実施形態に係る介錯ロープの正面図である。
【図２】同介錯ロープの使用状態を示す斜視図である。
【考案を実施するための形態】
【００２３】
以下、本考案の一実施形態に係る介錯ロープを、図面を参照して説明する。この介錯ロープは、作業者が、荷物、資材等の吊り荷を誘導できるよう構成されている。
【００２４】
図１、２に示すように、介錯ロープ１は３色介錯ロープであり、ロープ本体２と、フック３とを備えている。フック３はロープ本体２の前端（一端に相当する）に取付けられ、吊り荷４自体または吊上げているロープ・ワイヤー５に掛け止められる。この場合、吊り荷４をロープ・ワイヤー５で結んで、ロープ・ワイヤー５にフック３が掛け止められる。
【００２５】
次に、ロープ本体２の構成を説明する。ロープ本体２は、例えばポリエステル製の素材から成るものを用いている。しかしながら、ロープ本体２は、ポリエステル製に限定されないことは勿論である。
【００２６】
ロープ本体２は、全長５ｍ程度の長さを有する。ロープ本体２は、フック３側から、危険領域部６、注意領域部７、および安全領域部８が色分されている。ここでは、色分けした領域を、表示域と称することにする。危険領域部６の表面地は「赤色」であり１．５ｍに形成され、注意領域部７の表面地は「黄色」であり１．５ｍに形成されている。なお、安全領域部８の表面地は、色は施されず、２．０ｍに形成されている。
【００２７】
危険領域部６の前端外周および後端外周に、危険領域部６と同色（「赤色」）のシュリンク部材（シュリンク体）９が巻かれている。このシュリンク部材９の長さは、例えば一例として、３０ｃｍとされる。注意領域部７の後端外周に、注意領域部７と同色（「黄色」）のシュリンク部材１０が巻かれている。このシュリンク部材１０の長さは、例えば３０ｃｍとされる。
【００２８】
安全領域部８の後端外周に、「緑色」のシュリンク部材１１が巻かれている。このシュリンク部材１１の長さは、例えば３０ｃｍとされる。これらシュリンク部材９，１０，１１は、例えばポリエチレンシートから形成され、「赤色」「黄色」「緑色」に色分けされている。
【００２９】
また、安全領域部８の前端外周に、作業者の視覚により注意を喚起させ得る表示片が設けられている。この表示片は、安全領域部８の先端外周に巻き付けた旗１２である。旗１２は、塩化ビニル樹脂で形成されている。
【００３０】
旗１２は、安全領域部８の先端外周を囲繞するように囲む周囲部１３と、周囲部１３に一体的に形成されて、安全領域部８の側方に突出するよう形成された離間部１４とを備える。離間部１４は三角形状に形成されている。
【００３１】
離間部１４の表裏には、ロープ本体２の一端、すなわち、本実施形態では、危険領域部６の前端からの距離を表示する距離表示部１５が施されている。または、離間部１４の一方の面、または他方の面に、距離表示部１５が施されている。距離表示部１５は離間部１４の表裏に印刷され、危険領域部６の前端からの距離として、本実施形態では「３ｍ」と印刷されている。旗１２は「緑色」であり、距離表示部１５の色は「赤色」である。
【００３２】
上記構成の介錯ロープ１は、例えば、吊り荷４を吊上げているロープ・ワイヤー５にフック３が掛け止められて使用され、介錯ロープ１はできるだけ伸ばした形態として用いられる。このとき、作業者は、表示域において、安全領域部８を把持して、玉掛けされた吊り荷４を介錯ロープ１で誘導する。
【００３３】
介錯ロープ１を使用した際、フック３側から、危険領域部６の「赤色」、注意領域部７の「黄色」、および安全領域部８を把持可能であり、フック３に掛け止められた吊り荷４を介錯ロープ１で誘導する際に、把持する場所が、「黄色」に色分けした注意領域部７に近づけば、作業者の視覚によって注意が喚起される。また、把持する場所が、「赤色」に色分けされた危険領域部６には近づかないようにすることができる。
【００３４】
しかも、フック３側から所定距離だけ離間した位置、すなわち、安全領域部８の前端外周に、作業者の視覚により注意を喚起させ得る表示片が設けられ、表示片は、本実施形態では、ロープ本体２から突出した旗１２である。旗１２は、フック３に掛け止められた吊り荷をロープ本体２で誘導する際に、作業者にとって、ロープ本体２を把持する部分が直感的に明確になるという視覚的な作用がある。
【００３５】
また、旗１２における距離表示部１５として、「３ｍ」と印刷が施されている。したがって、危険領域部６の前端からの距離として「３ｍ」であることが分かり、作業者の視覚を通して離間距離の把握が明確になる。よって「３・３・３運動」において、作業者が吊り荷４から３ｍ離れていることを容易に実行できる。しかも、旗１２の地は「緑色」であり、距離表示部１５の色は「赤色」である。このように、旗１２と距離表示部１５の色とが補色の関係にあれば、距離表示部１５が際立って映るため、作業者の視覚を通して、距離表示を明確にすることができる。
【００３６】
また、ロープ本体２は、危険領域部６の「赤色」、注意領域部７の「黄色」に色分けた表示域とされ、シュリンク部材９，１０，１１は、「赤色」「黄色」「緑色」に色分けされている。このため、ロープ本体２が色褪せても、シュリンク部材９，１０，１１自体の色褪せが少ないことが期待されるため、経年によっても危険領域部６、注意領域部７および安全領域部８が明確になる。
【００３７】
本考案は、上記実施形態に限定されない。例えば、上記実施形態では、危険領域部６は「赤色」、注意領域部７は「黄色」に色分けされた。しかしながら、危険領域部６として「赤色」、注意領域部７として「黄色」は固定の色分けであって、例えば、安全領域部８は「緑色」であってもよい。
【００３８】
上記実施形態では、旗１２の地は「緑色」であり、距離表示部１５の色は「赤色」であって、互いに補色関係にある例を挙げた。しかしながら、旗１２の地の色と距離表示部１５の色とが補色の関係にあれば、何れの色であってもよく、作業者の視覚を通して、距離表示を明確にすることができる。
【００３９】
上記実施形態では、表示片としてロープ本体２とは異物の、三角形状の旗１２を設けた。しかしながら、旗１２は、四角形等の種々の形状であってもよく、また、旗１２に限らず、例えば、線状の束であってもよい。
【符号の説明】
【００４０】
１…介錯ロープ、２…ロープ本体、３…フック、４…吊り荷、５…ロープ・ワイヤー、６…危険領域部、７…注意領域部、８…安全領域部、９，１０，１１…シュリンク部材、１２…旗、１３…周囲部、１４…離間部、１５…距離表示部
【図１】
0003230889.tif 000003
【図２】
0003230889.tif 000004